(57)【特許請求の範囲】
【請求項１】
チャック手段により外周面に印刷を必要とするワークを保持して、往復運動手段により走行するスクリーンに上記保持ワークの外周面を接触させると共に、上記スクリーンと同調走行するラックと上記チャック手段のワークと共に回転するギヤーとの噛み合いにより上記ワークを回転させながら、スキージにより前記ワークに印刷インクを塗布するスクリーン印刷機において、上記ラックに定位置に軸承した第１タイミングプーリと同軸のギヤーを噛み合わせ、また上記チャック手段のワーク保持治具と共に回転する同軸に第２タイミングプーリを設け、さらに、上記第１及び第２タイミングプーリの軸にそれぞれアームの末端を軸承すると共に、この両アームの先端に支承させた支軸に並列状に第３、第４タイミングプーリを支承して、上記第１タイミングプーリと第３タイミングプーリとの間に、また第４タイミングプーリと第２タイミングプーリとの間にタイミングベルトをかけ渡したことを特徴とするスクリーン印刷機。
【発明の詳細な説明】
【０００１】
【発明の属する技術分野】
この発明は、各種品物、例えばミニチュアなどの容器の外周面に印刷するスクリーン印刷機に関する。
【０００２】
【従来の技術及びその課題】
容器などの品物の外周面に印刷するスクリーン印刷の従来技術としては、図４及び図５に示すように、開いているチャック手段１に、円筒状物体の印刷を必要するワークＡを供給し、次いでチャック手段１を閉じてワークＡを保持したのち、ワークＡの外周面に接触させたスクリーン２を移動させると共に、スクリーン２の移動にともない同調回転させたワークＡの外周面にスキージ３により印刷インクを塗布して所望の文字、模様をワークＡの外周面に印刷するようにしている。
【０００３】
上記のような印刷方式のスクリーン３の移動にともなうワークＡの同調回転手段としては、チャック手段１を構成するワークＡの片端保持用治具４の軸承定置軸５にワークＡに見合うギヤー６を取付けて、このギヤー５に往復運動手段（図示省略）により直線往復するスクリーン３と同調するラック７を噛み合わせて、ワークＡに回転を与えている。
【０００４】
このような同調回転手段によると、ラック及びラックの昇降シャフトの全重量がギヤーの噛合いに過圧力を与えるので、正常な噛み合いよりも噛み合いが深く入り、この深い噛み合いにより円滑な運動をしない問題により印刷に悪影響が起生する。
また、摩耗などの原因になる問題もあった。
【０００５】
上記以外の同調回転手段としては、末端に揺動支点（先端側が上下方向に昇降する）を持つラックを使用（図示省略）する方式もある。
【０００６】
この場合、ラックとギヤーとの噛み合い圧力が軽い（弱い）と、ラックとギヤーが分離し、圧力が強いと円滑な運動の妨げになるなどの問題があった。
【０００７】
いずれもラックに噛み合うギヤーが上下に移動するので、上述の問題が顕著に起生する。
【０００８】
そこで、この発明は、ラックに噛み合うギヤーを定置式にして、ワークのスムーズな回転を保障することにある。
【０００９】
【課題を解決するための手段】
上記の課題を解決するために、この発明は、チャック手段により外周面に印刷を必要とするワークを保持して、往復運動手段により走行するスクリーンに上記保持ワークの外周面を接触させると共に、上記スクリーンと同調走行するラックと上記チャック手段のワークと共に回転するギヤーとの噛み合いにより上記ワークを回転させながら、スキージにより前記ワークに印刷インクを塗布するスクリーン印刷機において、上記ラックに定位置に軸承した第１タイミングプーリと同軸のギヤーを噛み合わせ、また上記チャック手段のワーク保持治具と共に回転する同軸に第２タイミングプーリを設け、さらに、上記第１及び第２タイミングプーリの軸にそれぞれアームの末端を軸承すると共に、この両アームの先端に支承させた支軸に並列状に第３、第４タイミングプーリを支承して、上記第１タイミングプーリと第３タイミングプーリとの間に、また第４タイミングプーリと第２タイミングプーリとの間にタイミングベルトをかけ渡した構成を採用する。
【００１０】
【発明の実施の形態】
この発明の実施の形態を添付図面に基づいて説明する。
【００１１】
この発明の実施形態では、図１から図３に示すように、外周面に印刷を必要とする各種品物（例えばミニチュアその他の容器）のワークＡは、チャック手段Ｂに人手や機械的に供給して保持させる。
【００１２】
上記のチャック手段Ｂは、周知のようにフレーム１１の対向する一側に定位置でフリーに回転する回転軸１２を軸承して、この回転軸１２の内端にワークＡの片端を支承する治具１３を設け、他側のシリンダ１４の先端にシリンダ１４の伸長作用によりワークＡのもう片端に押し付ける支持具１５を設けて構成し、開いているチャック手段ＢにワークＡを供給したのち、チャック手段Ｂを閉じてマークＡを保持するようになっている。
【００１３】
Ｃは保持ワークＡの上側で、ワークＡの軸線に対し直角に横切る方向に往復運動により往復スライドするように設けたスクリーンである。
【００１４】
上記のスクリーンＣは、周知のように、二本の平行するガイドレール１６に走行フレーム１７のスライダ１８を嵌装して、この走行フレーム１７に支持部材１９を介し支持させると共に、走行フレーム１７を往復運動手段、例えばクランク機構（図示省略）により往復スライドさせて共にスクリーンＣを走行させるようにしている。
【００１５】
また、走行フレーム１７には、走行方向に沿わせてラック２０が設けてあり、このラック２０には、固定フレーム２１に軸承した回転支軸２２に固定したギヤー２３が噛み合っている。
【００１６】
勿論、ラック２０とギヤー２３との噛み合いは、抵抗の大きい深い噛み合いや、がたつきのある浅い噛み合いがない。すなわち正常な噛み合いになるよう調整して固定することができる。
【００１７】
さらに、支軸２２にギヤー２３と共に回動する第１タイミングプーリ２４を、回転軸１２に共に回動する第２タイミングプーリ２５をそれぞれ設け、支軸２２及び回転軸１２にアーム２６、２７の末端を軸承させ、かつ両アーム２６、２７の並行する先端に支軸２８を支承させて、支軸２８に共に回動するＷプーリの第３タイミングプーリ２９及び第４タイミングプーリ３０を設け、そして、第１タイミングプーリ２４と第３タイミングプーリ２９との間に、第４タイミングプーリ３０と第２タイミングプーリ２５との間にタイミングベルト３１、３２をそれぞれかけ渡す。
【００１８】
なお、チャック手段Ｂは、周知のようにフレーム１１をシリンダ、カムによる昇降機構などで昇降させる。
【００１９】
その要因は、印刷に際しワークＡの保持したチャック手段Ｂを印刷のため上昇させ、ワークＡの供給、取り外しのため降下させる。
図中４１はスキージである。
【００２０】
上記のように構成すると、スクリーンＣと共にラック２０が同調走行すると、ラック２０に噛み合っているギヤー２５から同軸の第１タイミングプーリ２４、タイミングベルト３１をへて第３タイミングプーリ２９に、第３タイミングプーリ２９と同軸の第４タイミングプーリ３０からタイミングベルト３２をへて第２タイミングプーリ２５に回転を伝達する。
【００２１】
すると、第２タイミングプーリ２５から回転軸１２をへて治具１３を駆動するので、チャック手段Ｂにより保持されたワークＡが回転する。
【００２２】
このとき、周知のように、スクリーンＣの走行にともないワークＡの外周面にスキージ４１によりインクを塗布して印刷する。
【００２３】
なお、スクリーンＣとワークＡとが等速になるように第３、第４のタイミングプーリ２９、３０の比率を決定の上支軸２８に第３、第４のタイミングプーリ２９、３０を取付ける。
【００２４】
上記のような方式（パンタ方式）で小径の容器を印刷するには、タイミングプーリの組み合わせを変える必要がある。
【００２５】
すなわち、ギヤー２３は、最小１５ｍｍ迄のため、それ以下のギヤーがないので、ボールペンなどの小径のワークにあっては、どうしてもタイミングプーリの比率を変えて、このような方法で印刷することが必要になる。
【００２６】
例えば、小径用印刷方法のタイミングプーリは、
第１タイミングプーリ  歯数４５T
第３タイミングプーリ  歯数２６T
第４タイミングプーリ  歯数４５T
第２タイミングプーリ  歯数２６T
上記ような組み合わせにすると、数１の通りである。
【００２７】
【数１】
0003668452.tif 000002
【００２８】
すると、ギヤー２３は、ワークＡの３倍のギヤーを使用することができる。
【００２９】
【発明の効果】
以上のように、この発明のスクリーン印刷機によれば、ラックに噛み合うギヤーに上下動がなく、噛み合いは調整の上固定することができるので、噛み合い部分に過圧力や摩擦などがなく、しかも噛み合い部分の圧力に強弱がなくワークのスムーズな回転を保障することができる。
【００３０】
しかもチャック手段の上下動に連動して両アームを開閉させ、かつギヤーから治具への回転伝達を、第１タイミングプーリ、タイミングベルト、同軸の第３、第４タイミングプーリ、タイミングベルト、そして第２タイミングプーリをへて行なうので、スリップがなく、かつ正確な位置を決めて印刷することができる。
【図面の簡単な説明】
【図１】この発明の実施形態を示す一部切欠正面図
【図２】同上の要部を示す拡大正面図
【図３】同拡大側面図
【図４】従来例の正面図
【図５】同上の側面図
【符号の説明】
Ａ          ワーク
Ｂ          チャック手段
Ｃ          スクリーン
１１        フレーム
１２        回転軸
１３        治具
１４        シリンダ
１５        支持具
１６        ガイドレール
１７        走行フレーム
１８        スライダ
１９        支持部材
２０        ラック
２１        固定フレーム
２２        回転支軸
２３        ギヤー
２４        第１タイミングプーリ
２５        第２タイミングプーリ
２６，２７  アーム
２８        支軸
２９        第３タイミングプーリ
３０        第４タイミングプーリ
３１，３２  タイミングベルト
【図１】
0003668452.tif 000003
【図２】
0003668452.tif 000004
【図３】
0003668452.tif 000005
【図４】
0003668452.tif 000006
【図５】
0003668452.tif 000007